(57)【要約】【課題】複数の切換スイッチを操作した場合の負担を軽減することができる。【解決手段】作業機は、複数の作動部と、複数の作動部のそれぞれに対応して設けられ、且つ、対応している作動部に対して作動開始及び作動終了のいずれかの切換操作が可能な複数の切換スイッチと、複数の切換スイッチの配列方向に沿って設けられ、且つ、切換操作時の指の移動を案内するガイド部とを備えている。複数の切換スイッチは、運転席の周囲に設けられたスイッチパネルに取付けられ、ガイド部は、スイッチパネルに設けられた複数の切換スイッチの配列方向に沿って形成された凸部である。【選択図】図２
2019214340.tif 000002
【特許請求の範囲】
【請求項１】
複数の作動部と、
前記複数の作動部のそれぞれに対応して設けられ、且つ、対応している作動部に対して作動開始及び作動終了のいずれかの切換操作が可能な複数の切換スイッチと、
前記複数の切換スイッチの配列方向に沿って設けられ、且つ、前記切換操作時の指の移動を案内するガイド部と、
を備えている作業機。
【請求項２】
前記複数の切換スイッチは、運転席の周囲に設けられたスイッチパネルに取付けられ、
前記ガイド部は、前記スイッチパネルに設けられた前記複数の切換スイッチの配列方向に沿って形成された凸部である請求項１に記載の作業機。
【請求項３】
前記複数の切換スイッチは、運転席の周囲に設けられ且つタッチパネルに表示され、
前記ガイド部は、前記タッチパネルに表示された表示バーであって、前記タッチパネルに表示された前記複数の切換スイッチの配列方向に向かって延びる表示バーである請求項１に記載の作業機。
【請求項４】
前記複数の作動部は、少なくとも点灯及び消灯のいずれかを行う複数の照明灯であり、
前記複数の切換スイッチは、前記複数の照明灯のそれぞれに対応して設けられ、且つ、少なくとも照明灯の点灯及び消灯のいずれかを切り換えるスイッチである請求項１〜３のいずれかに記載の作業機。
【請求項５】
前記複数の切換スイッチとは別に設けられ、且つ、前記複数の照明灯に対して共通の切換を行う共通スイッチを備えている請求項４に記載の作業機。
【請求項６】
前記複数の照明灯のうち、少なくとも１つの照明灯が点灯している状態で、前記共通スイッチを操作した場合には、全ての照明灯が点灯する請求項５に記載の作業機。
【請求項７】
前記複数の照明灯の全てが点灯している状態で、前記共通スイッチを操作した場合には、全ての照明灯が消灯する請求項５又は６に記載の作業機。
【請求項８】
前記複数の照明灯のうち、少なくとも１つの照明灯が点灯している状態で、前記共通スイッチを操作した場合には、全ての照明灯が消灯する請求項５に記載の作業機。
【請求項９】
前記複数の照明灯の全てが消灯している状態で、前記共通スイッチを操作した場合には、全ての照明灯が点灯する請求項８に記載の作業機。
【発明の詳細な説明】
【技術分野】
【０００１】
本発明は、トラクタ等の作業機に関する。
【背景技術】
【０００２】
従来、トラクタ等の作業機において、照明灯の技術として特許文献１に示すものが知られている。特許文献１に開示された作業機は、運転席の前方にメータパネルを設け、メータパネルの近傍に前照灯をＯＮ・ＯＦＦするためのスイッチを設けている。
【先行技術文献】
【特許文献】
【０００３】
【特許文献１】特開２０１３−２８１９０号公報
【発明の概要】
【発明が解決しようとする課題】
【０００４】
特許文献１の作業機のように、スイッチをＯＮ／ＯＦＦすることによって、前照灯等の照明灯を点灯したり消灯することができる。特に、照明灯が複数ある場合には、それぞれの照明灯に対応したスイッチを操作しなければならない。複数のスイッチを操作する作業は大変である。
そこで、本発明は上記問題点に鑑み、複数の切換スイッチを操作した場合の負担を軽減することができる作業機を提供することを目的とする。
【課題を解決するための手段】
【０００５】
この技術的課題を解決するための本発明の技術的手段は、以下に示す点を特徴とする。
作業機は、複数の作動部と、複数の作動部のそれぞれに対応して設けられ、且つ、対応している作動部に対して作動開始及び作動終了のいずれかの切換操作が可能な複数の切換スイッチと、前記複数の切換スイッチの配列方向に沿って設けられ、且つ、前記切換操作時の指の移動を案内するガイド部と、を備えている。
【０００６】
前記複数の切換スイッチは、運転席の周囲に設けられたスイッチパネルに取付けられ、前記ガイド部は、前記スイッチパネルに設けられた前記複数の切換スイッチの配列方向に沿って形成された凸部である。
前記複数の切換スイッチは、運転席の周囲に設けられ且つタッチパネルに表示され、前記ガイド部は、前記タッチパネルに表示された表示バーであって、前記タッチパネルに表示された前記複数の切換スイッチの配列方向に向かって延びる表示バーである。
【０００７】
前記複数の作動部は、少なくとも点灯及び消灯のいずれかを行う複数の照明灯であり、前記複数の切換スイッチは、前記複数の照明灯のそれぞれに対応して設けられ、且つ、少なくとも照明灯の点灯及び消灯のいずれかを切り換えるスイッチである。
作業機は、前記複数の切換スイッチとは別に設けられ、且つ、前記複数の照明灯に対して共通の切換を行う共通スイッチを備えている。
【０００８】
前記複数の照明灯のうち、少なくとも１つの照明灯が点灯している状態で、前記共通スイッチを操作した場合には、全ての照明灯が点灯する。
前記複数の照明灯の全てが点灯している状態で、前記共通スイッチを操作した場合には、全ての照明灯が消灯する。
前記複数の照明灯のうち、少なくとも１つの照明灯が点灯している状態で、前記共通スイッチを操作した場合には、全ての照明灯が消灯する。
【０００９】
前記複数の照明灯の全てが消灯している状態で、前記共通スイッチを操作した場合には、全ての照明灯が点灯する。
【発明の効果】
【００１０】
本発明によれば、複数の切換スイッチを操作した場合の負担を軽減することができる。
【図面の簡単な説明】
【００１１】
【図１】運転席側から操縦装置の周りを見た状態を示す図である。
【図２】スイッチパネルの平面図である。
【図３】ガイド部（凸部）を説明する説明図である。
【図４】ガイド部の他の例を説明する説明図である。
【図５Ａ】表示バーの全域をドラッグした場合の説明図である。
【図５Ｂ】表示バーの一部をドラッグした場合の説明図である。
【図６】スイッチパネルの変形例における平面図である。
【図７】共通スイッチを操作した場合の照明灯の点灯のフローである。
【図８Ａ】ガイド部（凸部）の形状を半円形にした図である。
【図８Ｂ】ガイド部（凸部）の形状を山型にした図である。
【図８Ｃ】山型のガイド部（凸部）に凹部を設けた図である。
【図９】トラクタの全体側面図である。
【発明を実施するための形態】
【００１２】
以下、本発明の実施の形態を図面に基づいて説明する。
作業機は、トラクタ、コンバイン、田植機等の農業機械である。農業機械の１つであるトラクタ1を例に挙げ説明する。
図９に示すように、トラクタ１は、走行装置７を有する走行車両（機体）３と、原動機４と、変速装置５とを備えている。走行装置７は、前輪及び後輪を有する装置である。走行装置７は、クローラ型の装置であってもよい。原動機４は、ディーゼルエンジン、電動モータ等であって、この実施形態ではディーゼルエンジンで構成されている。変速装置５は、変速によって走行装置７の推進力を切換可能であると共に、走行装置７の前進、後進の切換が可能である。
【００１３】
また、機体３の後部には、３点リンク機構等で構成された連結部８が設けられている。連結部８には、作業装置２が着脱可能である。作業装置２を連結部８に連結することによって、機体３によって作業装置２を牽引することができる。作業装置２は、耕耘する耕耘装置、肥料を散布する肥料散布装置、農薬を散布する農薬散布装置、収穫を行う収穫装置、牧草等の刈取を行う刈取装置、牧草等の拡散を行う拡散装置、牧草等の集草を行う集草装置、牧草等の成形を行う成形装置等である。なお、図９では、作業装置２として耕耘装置を取り付けた例を示している。
【００１４】
また、トラクタ１は、機体３に設けられた運転席１０と、操縦装置１１を備えている。運転席１０及び操縦装置１１は、機体３に設けられたキャビン１２内に配置されている。操縦装置１１は、例えば、ステアリング等で構成されていて、操縦装置１１を操縦することによってトラクタ１の進行方向を変更可能である。
また、トラクタ１には、複数の照明灯１５が設けられている。複数の照明灯１５は、作業時等に用いるランプであって、少なくとも点灯又は消灯する作業灯である。複数の照明灯１５は、第１照明灯１５ａ、第２照明灯１５ｂ、第３照明灯１５ｃ、第４照明灯１５ｄ、第５照明灯１５ｅである。第１照明灯１５ａ、第２照明灯１５ｂ、第３照明灯１５ｃ、第４照明灯１５ｄ及び第５照明灯１５ｅは、機体３（キャビン１２を搭載した機体３）に取付けられている。具体的には、第１照明灯１５ａは、原動機４を収容する前ボンネット１６の前面に取付けられている。第２照明灯１５ｂは、キャビン１２の下部の前方に取付けられている。第３照明灯１５ｃは、キャビン１２の上部の前部に取付けられている。第４照明灯１５ｄは、キャビン１２の上部の後部に取付けられている。第５照明灯１５ｅは、キャビン１２の上部の後部であって、第４照明灯１５ｄの下部に取付けられている。なお、第１照明灯１５ａ、第２照明灯１５ｂ、第３照明灯１５ｃ、第４照明灯１５ｄ、第５照明灯１５ｅは、一例であり、上述した実施形態に限定されない。
【００１５】
図１は、運転席１０側から操縦装置１１の周りを見た状態を示している。図１に示すように、運転席１０の前方（操縦装置１１側）には、メータパネル等の表示装置２０が設けられている。表示装置２０は、運転席１０の前方に設けられた操縦カバー１９に取付けられている。表示装置２０は、原動機４の回転数（原動機回転数）を指針計により表示する回転数表示部２０ａと、水温を指針計により表示する水温表示部２０ｂと、燃料の残量を指針計により表示する燃料表示部２０ｃと、警告等の報知情報をＬＥＤ等の点灯で報知するランプ表示部２０ｄとを有している。また、表示装置２０は、液晶等によって様々な情報を表示する液晶表示部２０ｅを有している。
【００１６】
さて、図１に示すように、運転席１０の周囲には、スイッチパネル２１が設けられている。スイッチパネル２１は、操縦カバー１９に取付けられていて、表示装置２０の下部に位置している。なお、スイッチパネル２１は、操縦カバー１９以外の場所、例えば、運転席１０の側方（右側又は左側）にあってもよいし、操作系のスイッチ等が配置されたコンソールボックスに配置されていてもよい。
【００１７】
スイッチパネル２１は、樹脂等の板材から構成されていて、板材に複数の切換スイッチ２２が取り付けられている。
複数の切換スイッチ２２のそれぞれは、押圧の操作によってＯＮ／ＯＦＦに切り換えることができるハードウェアスイッチであり、ＯＮ／ＯＦＦによって、作動部の作動開始及び作動終了のいずれかの操作（切換操作）を行うことができる。例えば、複数の切換スイッチ２２は、ＯＮである場合、トラクタ１に設けられて作動する作動部の作動開始を制御装置１４に指令し、ＯＦＦである場合、作動部の作動終了を制御装置１４に指令する。制御装置１４は、作動部の作動開始及び作動部の作動終了のいずれかに基づいて、作動部の作動を終了させたり、作動部の作動を開始する。この実施形態では、複数の作動部は、少なくとも点灯及び消灯のいずれかを行う複数の照明灯１５であり、複数の切換スイッチ２２は、複数の照明灯１５のそれぞれに対応して設けられ且つ少なくとも照明灯１５の点灯（作動開始）及び消灯（作動終了）のいずれかを切り換えることができる。
【００１８】
詳しくは、複数の切換スイッチ２２は、第１照明灯１５ａの切換操作を行う第１切換スイッチ２２ａ、第２照明灯１５ｂの切換操作を行う第２切換スイッチ２２ｂ、第３照明灯１５ｃの切換操作を行う第３切換スイッチ２２ｃ、第４照明灯１５ｄの切換操作を行う第４切換スイッチ２２ｄ、第５照明灯１５ｅの切換操作を行う第５切換スイッチ２２ｅである。
【００１９】
したがって、第１切換スイッチ２２ａ、第２切換スイッチ２２ｂ、第３切換スイッチ２２ｃ、第４切換スイッチ２２ｄ、第５切換スイッチ２２ｅに対して、作業者（オペレータ）がＯＮ／ＯＦＦの切換操作を行うと、切換操作に対応した信号（ＯＮを示すＯＮ信号、ＯＦＦを示すＯＦＦ信号）が、制御装置１４に入力される。制御装置１４は、ＯＮ信号である場合は、照明灯１５（第１照明灯１５ａ、第２照明灯１５ｂ、第３照明灯１５ｃ、第４照明灯１４ｄ、第５照明灯１５ｅ）を点灯させ、ＯＦＦ信号である場合には、照明灯１５（第１照明灯１５ａ、第２照明灯１５ｂ、第３照明灯１５ｃ、第４照明灯１４ｄ、第５照明灯１５ｅ）を消灯する。
【００２０】
図２に示すように、トラクタ１は、複数の切換スイッチ２２（２２ａ〜２２ｅ）の切換操作時の作業者の指の移動を案内するガイド部２３を備えている。以下、ガイド部２３の構成について、スイッチパネル２１の詳細と共に説明する。
スイッチパネル２１の表面２１ａには、トラクタ１を模した図形２５が示されている。図形２５において、前ボンネット１６に対応する部分の近傍に第１照明灯１５ａを模したランプ図２６ａが表示され、ランプ図２６ａに対応する部分に第１切換スイッチ２２ａが取り付けられている。また、図形２５において、キャビン１２に対応する部分の左方に第２照明灯１５ｂを模したランプ図２６ｂが表示され、ランプ図２６ｂに対応する部分に第２切換スイッチ２２ｂが取り付けられている。図形２５において、キャビン１２の上部の前方に第３照明灯１５ｃを模したランプ図２６ｃが表示され、ランプ図２６ｃに対応する部分に第３切換スイッチ２２ｃが取り付けられている。また、図形２５において、キャビン１２の上部の後部に第４照明灯１５ｄを模したランプ図２６ｄが表示され、ランプ図２６ｄに対応する部分に第４切換スイッチ２２ｄが取り付けられている。さらに、図形２５において、キャビン１２の下部の後方に第５照明灯１５ｅを模したランプ図２６ｅが表示され、ランプ図２６ｅに対応する部分に第５切換スイッチ２２ｅが取り付けられている。
【００２１】
したがって、第１切換スイッチ２２ａ、第２切換スイッチ２２ｂ、第３切換スイッチ２２ｃ、第４切換スイッチ２２ｄ、第５切換スイッチ２２ｅは、スイッチパネル２１に対して幅方向（機体幅方向）に沿って配置されている。
なお、スイッチパネル２１において、ランプ図２６ａ〜２６ｅの近傍に、第１照明灯１５ａ、第２照明灯１５ｂ、第３照明灯１５ｃ、第４照明灯１５ｄ、第５照明灯１５ｅのそ
れぞれの点灯／消灯を示すインジケータ２７ａ〜２７ｅが設けられている。また、スイッチパネル２１において、ランプ図２６ａ〜２６ｅを表示する領域Ｒ１とは別の領域Ｒ２には、複数の操作スイッチ３３が取り付けられている。複数の操作スイッチ３３は、外部に作業を知らせるライトを点灯／消灯させる第１操作スイッチ３３ａ、キャビン１２のガラスの曇り止めを作動させる第２操作スイッチ３３ｂ、ドアミラーの曇り止めを作動させる第３操作スイッチ３３ｃである。第１操作スイッチ３３ａ、第２操作スイッチ３３ｂ及び第３操作スイッチ３３ｃは、スイッチパネル２１の縦方向に並んでいる。
【００２２】
さて、ガイド部２３は、スイッチパネル２１に設けられた複数の切換スイッチ２２（２２ａ〜２２ｅ）の配列方向に沿って形成された凸部３８で構成されている。図３に示すように、凸部３８は、スイッチパネル２１の表面２１ａを他の部分よりも突出させた部分である。凸部３８は、第１切換スイッチ２２ａの押圧部２８ａの側方、第２切換スイッチ２２ｂの押圧部２８ｂの側方、第３切換スイッチ２２ｃの押圧部２８ｃの側方、第４切換スイッチ２２ｄの押圧部２８ｄの側方、第５切換スイッチ２２ｅの押圧部２８ｅの側方を結ぶように、連続的に左側から右側に向けて延設されている。この実施形態では、凸部３８は、配列方向に沿った形状となっている。また、凸部３８の高さＨ１は、押圧部２８の高さＨ２よりも高くなっている。
【００２３】
なお、凸部３８は、複数の切換スイッチ２２の操作する部分（押圧部２８）に重なる部分に形成されていてもよい。この場合は、凸部３８は、第１切換スイッチ２２ａの押圧部２８ａ、第２切換スイッチ２２ｂの押圧部２８ｂ、第３切換スイッチ２２ｃの押圧部２８ｃ、第４切換スイッチ２２ｄの押圧部２８ｄ、第５切換スイッチ２２ｄの押圧部２８ｅを結ぶように連続的に、左側から右側に向けて延設されている。
【００２４】
また、凸部３８の形状は、図３に限定されず、図８Ａに示すように、凸部３８は、断面視で半円形であってもよい。図８Ｂに示すように、凸部３８は、切換スイッチ２２の縁部側から当該凸部３８の幅方向（紙面左右方向）に行くにしたがって徐々に高さが増加し且つ幅方向の略中央部から幅方向に行くにしたがって高さが徐々に減少する山型であってもよい。図８Ｃに示すように、山型であって切換スイッチ２２側が幅方向に凹むような形状であってもよいし、その他の形状であってもよい。
【００２５】
したがって、図２に示すように、例えば、凸部３８に指を当てながら、当該凸部３８の一端（左側）から他端（右端）に向けて指をスライドさせるだけで、複数の照明灯１５を簡単に点灯させたり、消灯させることができる。
さて、上述した実施形態では、ガイド部２３をスイッチパネル２１に設けていたが、これに代えて、液晶パネルや有機ＥＬパネルなどのタッチパネル３０に設けてもよい。なお、タッチパネル３０の操作情報は、制御装置１４に入力され、制御装置１４は、操作情報に基づいて複数の照明灯１５を制御する。
【００２６】
以下、ガイド部２３をタッチパネル３０に設けた変形例について説明する。
図４に示すように、第１切換スイッチ２２ａ、第２切換スイッチ２２ｂ、第３切換スイッチ２２ｃ、第４切換スイッチ２２ｄ、第５切換スイッチ２２ｅは、タッチパネル３０に組み込まれたソフトウェアスイッチであり、タッチパネル３０が受け付けたタッチ操作によってＯＮ／ＯＦＦに切り換わるスイッチである。この場合、タッチパネル３０に表示されたランプ図２６ａ〜２６ｅのそれぞれがタッチ操作された場合、第１切換スイッチ２２ａ、第２切換スイッチ２２ｂ、第３切換スイッチ２２ｃ、第４切換スイッチ２２ｄ、第５切換スイッチ２２ｅのうち、ランプ図２６ａ〜２６ｅに対応するいずれかのスイッチが切り換わる。
【００２７】
ガイド部２３は、タッチパネル３０に表示された複数の切換スイッチ２２（２２ａ〜２２ｅ）の配列方向、即ち、タッチパネル３０に表示されたランプ図２６ａ〜２６ｅの配列方向に向かって延びる表示バー２９である。詳しくは、表示バー２９は、タッチパネル３０の画面上において、左側から右側に延びる直線状のバーである。表示バー２９には、複数の切換スイッチ２２のそれぞれに対応して、操作エリア３１が割り当てられている。操作エリア３１は、第１切換スイッチ２２ａの切換操作に割り当てられた第１範囲３１ａと、第２切換スイッチ２２ｂの切換操作に割り当てられた第２範囲３１ｂと、第３切換スイ
ッチ２２ｃの切換操作に割り当てられた第３範囲３１ｃと、第４切換スイッチ２２ｄの切換操作に割り当てられた第４範囲３１ｄと、第５切換スイッチ２２ｅの切換操作に割り当てられた第５範囲３１ｅとを含んでいる。
【００２８】
図５Ａ及び図５Ｂは、表示バー２９をドラッグした場合を示している。図５Ａ及び図５Ｂにおいて、表示バー２９においてドラッグした範囲は、当該表示バー２９の色が変化する。
図５Ａに示すように、表示バー２９の第１範囲３１ａ〜第５範囲３１ｅをドラッグ（スライド）した場合には、制御装置１４には、第１範囲３１ａ〜第５範囲３１ｅがスライドされたという操作情報が入力される。制御装置１４は、第１範囲３１ａ〜第５範囲３１ｅの全てがスライドされたため、全ての切換スイッチ（第１切換スイッチ２２ａ、第２切換スイッチ２２ｂ、第３切換スイッチ２２ｃ、第４切換スイッチ２２ｄ、第５切換スイッチ２２ｅ）の切換操作（ＯＦＦ→ＯＮ、又は、ＯＮ→ＯＦＦ）が行われたと判断する。図５Ａの場合、例えば、全ての切換スイッチは、ＯＦＦからＯＮ又はＯＮからＯＦＦに切り換えられる。
【００２９】
図５Ｂに示すように、例えば、表示バー２９の全範囲のうち、当該表示バー２９の第１範囲３１ａ〜第３範囲３１ｃをドラッグした場合には、制御装置１４には、第１切換スイッチ２２ａ、第２切換スイッチ２２ｂ、第３切換スイッチ２２ｃがスライドされたという操作情報が入力される。制御装置１４は、第１範囲３１ａ〜第３範囲３１ｃがスライドされたため、第１範囲３１ａ〜第３範囲３１ｃに対応する第１切換スイッチ２２ａ、第２切換スイッチ２２ｂ、第３切換スイッチ２２ｃの切換操作が行われたと判断する。図５Ｂの場合、第１切換スイッチ２２ａ、第２切換スイッチ２２ｂ、第３切換スイッチ２２ｃは、ＯＦＦからＯＮ又はＯＮからＯＦＦに切り換えられる。
【００３０】
つまり、表示バー２９においては、当該表示バー２９の全範囲のうち、ドラッグした範囲のみを切換操作することができ、ドラッグしていない範囲は切換操作されない。
以上によれば、例えば、表示バー２９の一端（左側）から他端（右端）に沿って指をスライドさせるだけで、複数の照明灯１５を簡単に点灯させたり、消灯させることができる。
【００３１】
作業機１は、機体３に設けられた複数の作動部と、複数の作動部のそれぞれに対応して設けられ、且つ、対応している作動部に対して作動開始及び作動終了のいずれかの切換操作が可能な複数の切換スイッチ２２と、複数の切換スイッチ２２の配列方向に沿って設けられ、且つ、切換操作時の指の移動を案内するガイド部２３と、を備えている。これによれば、ガイド部２３が設けられているため、切換操作時の指の移動が楽になり、複数の切換スイッチ２２の操作の負担を軽減することができる。
【００３２】
複数の切換スイッチ２２は、運転席１０の周囲に設けられたスイッチパネル２１に取付けられ、ガイド部２３は、スイッチパネル２１に設けられた複数の切換スイッチ２２の配列方向に沿って形成された凸部３８で構成されている。これによれば、凸部３８に沿って指を動かすことで、無駄な動きを抑制しつつ切換スイッチ２２の操作を行うことができる。
【００３３】
複数の切換スイッチ２２は、運転席１０の周囲に設けられ且つタッチパネル３０に表示され、ガイド部２３は、タッチパネル３０に表示された表示バー２９であって、タッチパネル３０に表示された複数の切換スイッチ２２の配列方向に向かって延びる表示バー２９である。なお、上述した実施形態では、作動部は照明灯１５であったが、照明灯１５以外のものであってもよい。
【００３４】
図６は、スイッチパネル２１の変形例を示す図である。以下、変形例について説明する。なお、上述した実施形態では、スイッチパネル２１にガイド部２３（凸部３８）を設けているが、変形例では、ガイド部２３（凸部３８）はなくてもよい。
図６に示すように、スイッチパネル２１には、共通スイッチ３５が設けられている。共通スイッチ３５は、複数の切換スイッチ２２とは別に設けられたスイッチであって、押圧の操作によってＯＮ／ＯＦＦに切り換えることができるハードウェアスイッチである。共通スイッチ３５の操作情報は制御装置１４に入力され、制御装置１４は、操作情報に基づ
いて複数の照明灯１５を制御する。
【００３５】
共通スイッチ３５は、複数の照明灯１５に対して共通の切換、即ち、共通の指令を行うスイッチである。スイッチパネル２１の表面２１ａには、共通スイッチであることを示すランプ図２６ｆが表示されている。ランプ図２６ｆは、例えば、スイッチパネル２１において、照明灯１５を示すランプ図２６ａ〜２６ｅとは離れた箇所である右下に配置されている。共通スイッチ３５は、スイッチパネル２１において、ランプ図２６ｆに対応する部分に取付けられている。
【００３６】
図７は、共通スイッチ３５を操作した場合の照明灯１５の動作を示すフローである。図７に示すように、共通スイッチ３５の操作が行われ、ＯＦＦからＯＮに切り換えられると（Ｓ１、Ｙｅｓ）、制御装置１４は、全ての照明灯１５（第１照明灯１５ａ、第２照明灯１５ｂ、第３照明灯１５ｃ、第４照明灯１５ｄ、第５照明灯１５ｅ）が点灯しているか否かを判断する（Ｓ２）。全ての照明灯１５が点灯している場合（Ｓ２、Ｙｅｓ）、制御装置１４は、全ての照明灯１５を消灯する（Ｓ３）。全ての照明灯１５が点灯している場合（Ｓ２、Ｎｏ）、制御装置１４は、複数の照明灯１５のうち、少なくとも１つの照明灯１５が点灯しているか否かを判断する（Ｓ４）。少なくとも１つの照明灯１５が点灯している場合（Ｓ４、Ｙｅｓ）、制御装置１４は、点灯していない照明灯１５の点灯を行う、即ち、全ての照明灯１５を点灯させる（Ｓ５）。
【００３７】
したがって、全ての照明灯１５が点灯している場合には、共通スイッチ３５をＯＮすることにより、全ての照明灯１５を消灯することができ、少なくとも１つの照明灯１５が点灯している場合には、点灯していない他の照明灯１５を点灯させることができる。なお、図６に示した方法に変えて、複数の照明灯１５のうち、少なくとも１つの照明灯１５が点灯している状態で、共通スイッチ３５を操作した場合には、全ての照明灯１５を消灯してもよい。或いは、複数の照明灯１５の全てが消灯している状態で、共通スイッチ３５を操作した場合には、全ての照明灯１５を点灯させてもよい。
【００３８】
作業機１は、複数の切換スイッチ２２とは別に設けられ、且つ、複数の照明灯１５に対して共通の切換を行う共通スイッチ３５を備えている。これによれば、共通スイッチ３５を操作するだけで、複数の切換スイッチ２２の操作を行うことができ、作業者の操作の負担を軽減することができる。
複数の照明灯１５のうち、少なくとも１つの照明灯１５が点灯している状態で、共通スイッチ３５を操作した場合には、全ての照明灯１５が点灯する。これによれば、少なくとも１つの照明灯１５が点灯していることを契機として、全ての照明灯１５の点灯を共通スイッチ３５の操作で行うことができる。
【００３９】
複数の照明灯１５の全てが点灯している状態で、共通スイッチ３５を操作した場合には、全ての照明灯１５が消灯する。これによれば、全ての照明灯１５が点灯している場合は、同時に全ての照明灯１５の消灯を行うことができる。
複数の照明灯１５のうち、少なくとも１つの照明灯１５が点灯している状態で、共通スイッチ３５を操作した場合には、全ての照明灯１５が消灯する。これによれば、少なくとも１つの照明灯１５が点灯していることを契機として、全ての照明灯１５の消灯を共通スイッチ３５の操作で行うことができる。
【００４０】
複数の照明灯１５の全てが消灯している状態で、共通スイッチ３５を操作した場合には、全ての照明灯１５が点灯する。これによれば、全ての照明灯１５が消灯している場合は、同時に全ての照明灯１５の点灯を行うことができる。
今回開示された実施の形態はすべての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【符号の説明】
【００４１】
１  作業機
１４  制御装置
１５  照明灯
１５ａ  第１照明灯
１５ｂ  第２照明灯
１５ｃ  第３照明灯
１５ｄ  第４照明灯
１５ｅ  第５照明灯
２０  表示装置
２１  スイッチパネル
２２  切換スイッチ
２２ａ  第１切換スイッチ
２２ｂ  第２切換スイッチ
２２ｃ  第３切換スイッチ
２２ｄ  第４切換スイッチ
２２ｅ  第５切換スイッチ
２３  ガイド部
２５  図形
２６ａ〜２６ｅ  ランプ図
２７ａ〜２７ｅ  インジケータ
２９  表示バー
３０  タッチパネル
３８  凸部
【図１】
2019214340.tif 000003
【図２】
2019214340.tif 000004
【図３】
2019214340.tif 000005
【図４】
2019214340.tif 000006
【図５Ａ】
2019214340.tif 000007
【図５Ｂ】
2019214340.tif 000008
【図６】
2019214340.tif 000009
【図７】
2019214340.tif 000010
【図８Ａ】
2019214340.tif 000011
【図８Ｂ】
2019214340.tif 000012
【図８Ｃ】
2019214340.tif 000013
【図９】
2019214340.tif 000014